(57)【要約】【課題】ユーザ端末から検索した希望条件にあった情報を取得できる検索方法を提供する。【解決手段】購入希望者はユーザ端末１０からオンラインショッピングモールのサーバ（オンライン・ショッピング・サーバ２０）に購入希望条件とユーザ情報（購入者の氏名やメールアドレスｅｔｃ）とを保存する。オンライン・ショッピング・サーバ２０は、保存した購入希望条件を基にサーバ２０内を検索する。該検索において、購入希望条件に合った商品情報を検出した際には、オンライン・ショッピング・サーバ２０は、購入希望条件に合った商品情報をユーザ端末１０に送信する。【選択図】　　　　図１
2004070438.tif 000002
【特許請求の範囲】
【請求項１】
商品を購入する購入希望者が使用するユーザ端末と、商品を販売する販売者が使用する販売店端末と、オンラインでの商品の売買を提供するサーバと、がネットワークを介して接続し、前記サーバが前記ユーザ端末から入力した購入希望条件を基に商品を検索する検索システムであって、
前記サーバは、
前記ユーザ端末から入力された購入希望条件を保存する購入希望条件保存手段と、
前記購入希望条件保存手段に保存した購入希望条件を満たす商品を定期的に検索する購入希望条件検索手段と、
前記購入希望条件検索手段により検索した購入希望条件を満たす商品を前記ユーザ端末に通知する通知手段と、
を有することを特徴とする検索システム。
【請求項２】
前記サーバは、ネットワークを介して第２のサーバと接続し、
前記購入希望条件保存手段に保存した購入希望条件を満たす商品の検索を前記第２のサーバで定期的に実行させる検索実行手段と、
前記検索実行手段により第２のサーバで検索した検索結果を取得する検索結果取得手段と、
前記検索結果取得手段により取得した検索結果に前記購入希望条件を満たす商品がある場合に前記ユーザ端末に通知する通知手段と、
を有することを特徴とする請求項１記載の検索システム。
【請求項３】
前記サーバは、ネットワークを介して第２のサーバと接続し、
前記購入希望条件保存手段に保存した購入希望条件を前記第２のサーバに送信する購入希望条件送信手段を有し、
前記第２のサーバは、
前記購入希望条件送信手段により送信された購入希望条件を保存する購入希望条件保存手段と、
前記購入希望条件保存手段により保存した購入希望条件を満たす商品を定期的に検索する購入希望条件検索手段と、
前記購入希望条件検索手段により検索した購入希望条件を満たす商品を前記ユーザ端末に通知する通知手段と、
を有することを特徴とする請求項１記載の検索システム。
【請求項４】
前記購入希望条件保存手段は、
前記購入希望条件の履歴を作成することを特徴とする請求項１又は３記載の検索システム。
【請求項５】
前記購入希望条件検索手段は、
前記購入希望条件を満たす商品が検出されない場合に、前記購入希望条件の設定を緩和し、該緩和した条件を基に商品を検出することを特徴とする請求項１又は３記載の検索システム。
【請求項６】
前記サーバは、
前記購入希望条件保存手段に保存した購入希望条件を前記販売店端末に送信する送信手段を有することを特徴とする請求項１から３の何れか一項に記載の検索システム。
【請求項７】
前記サーバは、
前記購入希望条件保存手段に保存した購入希望条件の変更又は削除を指定する指定手段を有することを特徴とする請求項１又は３記載の検索システム。
【請求項８】
商品を購入する購入希望者が使用するユーザ端末と、商品を販売する販売者が使用する販売店端末と、オンラインでの商品の売買を提供するサーバと、がネットワークを介して接続したシステムを用いて、前記ユーザ端末から入力した購入希望条件を基に前記サーバが商品を検索する検索方法であって、
前記サーバにおいて、前記ユーザ端末から入力された購入希望条件を満たす商品が検出されない場合に、前記購入希望条件をサーバ内に保存し、該保存した購入希望条件を満たす商品を検出した際に前記ユーザ端末に通知することを特徴とする検索方法。
【請求項９】
前記サーバは、
ネットワークを介して第２のサーバと接続し、前記サーバに保存した購入希望条件を、前記第２のサーバに送信し検索を実行させ、該実行させた検索結果に購入希望条件を満たす商品がある場合に前記ユーザ端末に通知することを特徴とする請求項８記載の検索方法。
【請求項１０】
前記サーバは、
ネットワークを介して第２のサーバと接続し、前記サーバに保存した購入希望条件を、前記第２のサーバに保存させ、前記第２のサーバは、該保存した購入希望条件を満たす商品を検出した際に前記ユーザ端末に通知することを特徴とする請求項８記載の検索方法。
【請求項１１】
前記購入希望条件を満たす商品を定期的に検索することを特徴とする請求項８又は１０記載の検索方法。
【請求項１２】
前記サーバが保存した前記購入希望条件を、前記販売店端末に送信することを特徴とする請求項８から１０の何れか一項に記載の検索方法。
【請求項１３】
前記サーバは、
前記ユーザ端末から入力された前記購入希望条件を満たす商品が検出された場合にも、前記サーバ内に前記購入希望条件を保存することを特徴とする請求項８記載の検索方法。
【請求項１４】
前記サーバは、
前記ユーザ端末から入力された前記購入希望条件を保存し、該保存した購入希望条件の履歴を作成することを特徴とする請求項８記載の検索方法。
【請求項１５】
前記サーバは、
前記ユーザ端末から入力された購入希望条件を満たす商品が検出されない場合に、前記購入希望条件の設定を緩和し、前記購入希望条件に近い商品を検出することを特徴とする請求項８から１０の何れか一項に記載の検索方法。
【請求項１６】
前記サーバは、
前記サーバ内に保存した購入希望条件を満たす商品が検出されない場合に、前記サーバ内に保存した購入希望条件の設定を緩和し、前記購入希望条件に近い商品を検出することを特徴とする請求項８から１０の何れか一項に記載の検索方法。
【請求項１７】
ユーザが取得したい情報の取得条件を入力するユーザ端末と、前記取得したい情報を提供するサーバと、がネットワークを介して接続し、前記サーバが前記ユーザ端末から入力した取得条件を基に情報を検索する検索システムであって、
前記サーバは、
前記ユーザ端末から入力した取得条件を保存する保存手段と、
前記保存手段により保存した取得条件を満たす情報を定期的に検索する検索手段と、
前記検出手段により検索した取得条件を満たす情報を前記ユーザ端末に通知する通知手段と、
を有することを特徴とする検索システム。
【請求項１８】
前記サーバは、ネットワークを介して第２のサーバと接続し、
前記保存手段に保存した取得条件を前記第２のサーバに送信し、前記第２のサーバで検索を行う検索依頼手段と、
前記検索依頼手段により前記第２のサーバで検索した検索結果を取得して取得条件にあう情報を前記ユーザ端末に通知する通知手段と、
を有することを特徴とする請求項１７記載の検索システム。
【請求項１９】
前記サーバは、ネットワークを介して第２のサーバと接続し、前記保存手段に保存した取得条件を前記第２のサーバに保存させる取得条件保存手段を有し、
前記第２のサーバは、
前記取得情報保存手段により保存した取得条件を満たす情報を定期的に検索する検索手段と、
前記検索手段により検索した取得条件を満たす情報を前記ユーザ端末に通知する通知手段と、
を有することを特徴とする請求項１７記載の検索システム。
【発明の詳細な説明】
【０００１】
【発明の属する技術分野】
本発明は、インターネットを利用したオンラインでの検索システム及び検索方法に関する。
【０００２】
【従来の技術】
近年、インターネットの普及に伴い、オンラインでのショッピングが盛んに行われている。このインターネットを利用したオンラインショッピングは、商品を提供する者（商品提供者）が、ネット上に、商品名、数量、価格等を掲示し、商品の購入を希望する者（購入希望者）が当該掲示を閲覧して、自己の希望する購入希望条件に適合した商品があれば、商品提供者に発注し、商品を購入していた。以下、図１０、図１１を参照しながら従来の商品購入方法について説明する（従来技術１）。図１０は、従来のオンラインショッピングのシステム構成を示す図である。図１１は、従来のオンラインショッピングの処理動作を示す図である。
【０００３】
従来のオンラインショッピングのシステム構成は、ユーザ端末１０と、販売店端末３０と、オンライン・ショッピング・サーバ２０と、これらのノードを相互に結ぶインターネット１００と、を有して構成される。
【０００４】
次に、上記構成からなるシステムを用いたオンラインショッピングの処理動作について詳細に説明する。
まず、販売店は販売店端末３０を使用してオンライン・ショッピング・サーバ２０にアクセスし、オンラインショッピングモール（仮想ショッピングモール）のホームページに商品を登録する（ステップＳ１１０）。次に、商品の購入を希望する者（購入希望者）はユーザ端末１０を使用して、オンラインショッピングモールのホームページ（オンライン・ショッピング・サーバ２０）にアクセスする（ステップＳ１１１）。オンライン・ショッピング・サーバ２０は、購入希望商品の条件入力フォームをアクセス先のユーザ端末１０に送信する（ステップＳ１１２）。購入希望者は、ユーザ端末１０が受信した条件入力フォームに購入希望商品の条件を入力し、オンライン・ショッピング・サーバ２０に送信する（ステップＳ１１３）。
【０００５】
オンライン・ショッピング・サーバ２０は、ユーザ端末１０から受信した購入希望商品の条件を基に商品データ・ベースを検索し、購入希望条件にマッチした商品があるか否かを判別する（ステップＳ１１４）。該判別（ステップＳ１１４）により、購入希望条件にマッチした商品がある場合は（ステップＳ１１４／ＹＥＳ）、購入希望条件にマッチした商品の一覧をユーザ端末１０に送信する（ステップＳ１１５）。購入希望者は、オンライン・ショッピング・サーバ２０から受信した商品の一覧の中に、購入する商品がある場合は（ステップＳ１１６／ＹＥＳ）、売買情報（購入商品コードや数量など）とユーザ情報（氏名や住所や電子メールアドレスなど）とをオンライン・ショッピング・サーバ２０へ送信し（ステップＳ１１７）、送信が完了した時点でオンラインでの売買が成立する（ステップＳ１１８）。また、購入希望者は、商品の一覧の中に購入する商品がない場合は（ステップＳ１１６／ＮＯ）、売買が不成立となる（ステップＳ１１９）。
【０００６】
このように、購入希望者がユーザ端末１０からインターネット１００を介してオンライン・ショッピング・サーバ２０にアクセスし、購入希望条件にマッチした商品がある場合は、売買情報とユーザ情報とをオンライン・ショッピング・サーバ２０に送信することで、購入希望者は希望商品を購入することができる。
【０００７】
また、本発明と類似する従来技術２として、特開２００１−３２５４７８号公報の「商品売買の仲介システム」が挙げられる。
【０００８】
この従来技術２は、売り手側と買い手側との情報を掲示板で閲覧できると共に、自動配信で最新の情報を入手し、コンピュータネットワークを介して不特定多数の売り手側と買い手側との情報を双方的に利用することができる。これにより商品の売買を効率的に仲介することを可能とする。
【０００９】
【発明が解決しようとする課題】
しかしながら、従来技術１において、ユーザ端末１０から入力された購入希望条件にマッチした商品がない場合は、ユーザ端末１０とオンライン・ショッピング・サーバ２０との売買は不成立となってしまう（ステップＳ１２０）。このため、ユーザ端末１０から再度、購入希望商品の検索が行われる保証もなく、販売店側は、販売機会を逃してしまうことになる。
また、購入希望商品がオンライン・ショッピング・サーバ２０に登録されていない場合は、顧客は後日改めて、ユーザ端末１０からオンライン・ショッピング・サーバ２０にアクセスして、購入希望商品を検索しなければならず、利用者にとっての利便性に問題があった。
【００１０】
本発明は上記事情に鑑みてなされたものであり、ユーザ端末から検索した希望条件にあった情報を取得できる検索システム及び検索方法を提供することを目的とする。
【００１１】
【課題を解決するための手段】
かかる目的を達成するために、本発明は以下の手段を有する。
請求項１記載の発明は、商品を購入する購入希望者が使用するユーザ端末と、商品を販売する販売者が使用する販売店端末と、オンラインでの商品の売買を提供するサーバと、がネットワークを介して接続し、サーバがユーザ端末から入力した購入希望条件を基に商品を検索する検索システムであって、サーバは、ユーザ端末から入力された購入希望条件を保存する購入希望条件保存手段と、購入希望条件保存手段に保存した購入希望条件を満たす商品を定期的に検索する購入希望条件検索手段と、購入希望条件検索手段により検索した購入希望条件を満たす商品をユーザ端末に通知する通知手段と、を有することを特徴とする。
【００１２】
請求項２記載の発明は、請求項１記載の発明において、サーバは、ネットワークを介して第２のサーバと接続し、購入希望条件保存手段に保存した購入希望条件を満たす商品の検索を第２のサーバで定期的に実行させる検索実行手段と、検索実行手段により第２のサーバで検索した検索結果を取得する検索結果取得手段と、検索結果取得手段により取得した検索結果に購入希望条件を満たす商品がある場合にユーザ端末に通知する通知手段と、を有することを特徴とする。
【００１３】
請求項３記載の発明は、請求項１記載の検索システムにおいて、サーバは、ネットワークを介して第２のサーバと接続し、購入希望条件保存手段に保存した購入希望条件を第２のサーバに送信する購入希望条件送信手段を有し、第２のサーバは、購入希望条件送信手段により送信された購入希望条件を保存する購入希望条件保存手段と、購入希望条件保存手段により保存した購入希望条件を満たす商品を定期的に検索する購入希望条件検索手段と、購入希望条件検索手段により検索した購入希望条件を満たす商品をユーザ端末に通知する通知手段と、を有することを特徴とする。
【００１４】
請求項４記載の発明は、請求項１又は３記載の検索システムにおいて、購入希望条件保存手段は、購入希望条件の履歴を作成することを特徴とする。
【００１５】
請求項５記載の発明は、請求項１又は３記載の検索システムにおいて、購入希望条件検索手段は、購入希望条件を満たす商品が検出されない場合に、購入希望条件の設定を緩和し、該緩和した条件を基に商品を検出することを特徴とする。
【００１６】
請求項６記載の発明は、請求項１から３の何れか一項に記載の検索システムサーバは、購入希望条件保存手段に保存した購入希望条件を販売店端末に送信する送信手段を有することを特徴とする。
【００１７】
請求項７記載の発明は、請求項１又は３記載の検索システムにおいて、サーバは、購入希望条件保存手段に保存した購入希望条件の変更又は削除を指定する指定手段を有することを特徴とする。
【００１８】
請求項８記載の発明は、商品を購入する購入希望者が使用するユーザ端末と、商品を販売する販売者が使用する販売店端末と、オンラインでの商品の売買を提供するサーバと、がネットワークを介して接続したシステムを用いて、ユーザ端末から入力した購入希望条件を基にサーバが商品を検索する検索方法であって、サーバにおいて、ユーザ端末から入力された購入希望条件を満たす商品が検出されない場合に、購入希望条件をサーバ内に保存し、該保存した購入希望条件を満たす商品を検出した際にユーザ端末に通知することを特徴とする。
【００１９】
請求項９記載の発明は、請求項８記載の検索方法において、サーバは、ネットワークを介して第２のサーバと接続し、サーバに保存した購入希望条件を、第２のサーバに送信し検索を実行させ、該実行させた検索結果に購入希望条件を満たす商品がある場合にユーザ端末に通知することを特徴とする。
【００２０】
請求項１０記載の発明は、請求項８記載の検索方法において、サーバは、ネットワークを介して第２のサーバと接続し、サーバに保存した購入希望条件を、第２のサーバに保存させ、第２のサーバは、該保存した購入希望条件を満たす商品を検出した際にユーザ端末に通知することを特徴とする。
【００２１】
請求項１１記載の発明は、請求項８又は１０記載の検索方法において、購入希望条件を満たす商品を定期的に検索することを特徴とする。
【００２２】
請求項１２記載の発明は、請求項８から１０の何れか一項に記載の検索方法において、サーバが保存した購入希望条件を、販売店端末に送信することを特徴とする。
【００２３】
請求項１３記載の発明は、請求項８記載の検索方法において、サーバは、ユーザ端末から入力された購入希望条件を満たす商品が検出された場合にも、サーバ内に購入希望条件を保存することを特徴とする。
【００２４】
請求項１４記載の発明は、請求項８記載の検索方法において、サーバは、ユーザ端末から入力された購入希望条件を保存し、該保存した購入希望条件の履歴を作成することを特徴とする。
【００２５】
請求項１５記載の発明は、請求項８から１０の何れか一項に記載の検索方法において、サーバは、ユーザ端末から入力された購入希望条件を満たす商品が検出されない場合に、購入希望条件の設定を緩和し、購入希望条件に近い商品を検出することを特徴とする。
【００２６】
請求項１６記載の発明は、請求項８から１０の何れか一項に記載の検索方法において、サーバは、サーバ内に保存した購入希望条件を満たす商品が検出されない場合に、サーバ内に保存した購入希望条件の設定を緩和し、購入希望条件に近い商品を検出することを特徴とする。
【００２７】
請求項１７記載の発明は、ユーザが取得したい情報の取得条件を入力するユーザ端末と、取得したい情報を提供するサーバと、がネットワークを介して接続し、サーバがユーザ端末から入力した取得条件を基に情報を検索する検索システムであって、サーバは、ユーザ端末から入力した取得条件を保存する保存手段と、保存手段により保存した取得条件を満たす情報を定期的に検索する検索手段と、検出手段により検索した取得条件を満たす情報をユーザ端末に通知する通知手段と、を有することを特徴とする。
【００２８】
請求項１８記載の発明は、請求項１７記載の検索システムにおいて、サーバは、ネットワークを介して第２のサーバと接続し、保存手段に保存した取得条件を第２のサーバに送信し、第２のサーバで検索を行う検索依頼手段と、検索依頼手段により第２のサーバで検索した検索結果を取得して取得条件にあう情報をユーザ端末に通知する通知手段と、を有することを特徴とする。
【００２９】
請求項１９記載の発明は、請求項１７記載の検索システムにおいて、サーバは、ネットワークを介して第２のサーバと接続し、保存手段に保存した取得条件を第２のサーバに保存させる取得条件保存手段を有し、第２のサーバは、取得情報保存手段により保存した取得条件を満たす情報を定期的に検索する検索手段と、検索手段により検索した取得条件を満たす情報をユーザ端末に通知する通知手段と、を有することを特徴とする。
【００３０】
【発明の実施の形態】
まず、本発明の概要を説明する。
本発明は、商品の購入希望者がユーザ端末からインターネットを介しオンラインでのショッピングを行う際に、希望条件に合った商品がオンラインショッピングモール（オンライン・ショッピング・サーバ２０）にない場合は、後日、オンラインショッピングモール（オンライン・ショッピング・サーバ２０）からの連絡で希望条件に合った商品を購入できる発明である。
図１において、購入希望者はユーザ端末１０からインターネット１００を介しオンライン・ショッピング・サーバ２０にアクセスし、購入を希望する商品の条件をオンライン・ショッピング・サーバ２０に入力し検索後、条件にマッチする商品がある場合は商品を買えるが、条件にマッチする商品がない場合は、商品を買えないことになる。そこで本発明では、オンラインショッピングモールのサーバ（オンライン・ショッピング・サーバ２０）に購入希望条件とユーザ情報（購入者の氏名やメールアドレスｅｔｃ）とを保存しておき、後日、購入希望条件に合った商品が、販売店（販売店端末３０）からオンライン・ショッピング・サーバ２０に登録されたことを認識した際に、オンライン・ショッピング・サーバ２０がユーザ端末１０に通知する。これにより、希望商品が登録されたことを購入希望者が知り、希望の商品をオンラインショッピングモール（オンライン・ショッピング・サーバ２０）から購入することができることを特徴としている。
【００３１】
以下、添付図面を参照しながら本発明に係る実施の形態について詳細に説明する。
【００３２】
（第１の実施の形態）
図１に、本発明にかかるオンラインショッピングのシステム構成を示す。
本システムは、ユーザ端末１０と、販売店端末３０と、オンライン・ショッピング・サーバ２０と、これらのノードを相互に結ぶインターネット１００と、を有して構成される。
【００３３】
ユーザ端末１０は以下の３つの処理を行う。
第１の処理として、オンライン・ショッピング・サーバ２０がインターネット１００を介して提供するオンラインショッピングモールのホームページ（オンライン・ショッピング・サーバ２０）にアクセスし、商品購入画面を表示する。
第２の処理として、商品購入画面に表示される条件入力フォームに購入希望商品の条件を入力し、該入力した条件をオンライン・ショッピング・サーバ２０に送信して、購入希望商品の検索を実行させる。なお購入希望商品の条件とは、購入希望者が購入を希望する商品を検索するための条件であり、商品の種別、商品の販売名、商品価格等が挙げられる。
第３の処理として、売買情報（購入商品コードや数量など）とユーザ情報（氏名、住所、電子メールアドレスなど）とを入力し、オンライン・ショッピング・サーバ２０に送信する。
なお、売買情報とは、購入希望者が販売店側と商品の売買を決定する情報を指す。また、ユーザ情報とは、購入希望者の個人情報を指す。
第４の処理として、電子メールを送受信する。
なお、ユーザ端末１０は、パーソナルコンピュータ等の情報処理装置であり、オンラインショッピングモール（仮想ショッピングモール）が運営しているオンライン・ショッピング・サーバ２０（ホームページ）の商品を購入する購入希望者が使用する。
【００３４】
販売店端末３０は、以下の２つの処理を行う。
第１の処理として、インターネット１００を介してオンライン・ショッピング・サーバ２０にアクセスし、オンライン・ショッピング・サーバ２０から送信される商品情報登録画面を表示する。
第２の処理として、商品情報登録画面に表示される商品情報登録フォームに商品情報の入力又は商品情報を含んだファイルの添付を行い、オンライン・ショッピング・サーバ２０へ送信する。
なお、販売店端末３０は、パーソナルコンピュータ、ワークステーション又はサーバで構成された情報処理装置であり、オンラインショッピングモールに商品を出品する販売店が使用する。
【００３５】
オンライン・ショッピング・サーバ２０は、以下の３つの処理を行う。
第１の処理として、複数の商品販売店（販売店端末３０）の商品情報が登録されたコンピュータで、ユーザ端末１０から送信された購入希望条件（購入希望商品の条件）により商品データ・ベースを検索し、その検索結果をユーザ端末１０に送信する。
第２の処理として、ユーザ端末１０から送信された購入希望条件をデータ・ベースに登録し、該登録された条件で定期的に商品データ・ベースを検索し、購入希望条件にマッチした商品がある場合は、購入希望条件の商品が登録されたことをユーザ端末１０に電子メールで通知する。
第３の処理として、ユーザ端末１０から購入希望商品の情報と、売買情報と、ユーザ情報とを受信し、商品の売買を成立させる。オンライン・ショッピング・サーバ２０は、インターネット上のサービスプロバイダが運営する仮想ショッピングモールの情報処理装置である。
【００３６】
上記構成からなるオンラインショッピングシステムは、購入希望者がユーザ端末１０からインターネット１００を介してオンラインでのショッピングを行う際に、購入希望条件に合う商品がオンラインショッピングモール（オンライン・ショッピング・サーバ２０）にない場合は、後日、オンラインショッピングモール（オンライン・ショッピング・サーバ２０）からの連絡で購入希望条件に合う商品を購入できるシステムである。以下、図２、図３を参照して本実施の形態におけるオンラインショッピングシステムを用いた処理動作について詳細に説明する。
【００３７】
販売店は、販売店端末３０からオンライン・ショッピング・サーバ２０にアクセスし、オンラインショッピングモールのホームページに出品する商品を登録する（ステップＳ１）。登録の方法としては、オンライン・ショッピング・サーバ２０が提供するインターフェースを利用したオンライン登録や指定フォーマットのファイル（販売店端末３０側で作成）の受け渡しなどがある。
【００３８】
次に、商品の購入を希望する者（購入希望者）はユーザ端末１０を使用し、オンラインショッピングモールのホームページ（オンライン・ショッピング・サーバ２０）にアクセスする（ステップＳ２）。オンライン・ショッピング・サーバ２０は、購入希望商品の条件入力フォームをアクセス先のユーザ端末１０に送信する（ステップＳ３）。購入希望者は、ユーザ端末１０が受信した条件入力フォームに、購入希望商品の条件を入力し、オンライン・ショッピング・サーバ２０に送信する（ステップＳ４）。オンライン・ショッピング・サーバ２０は、ユーザ端末１０から受信した購入希望商品の条件を基に商品データ・ベースを検索し、購入希望条件にマッチした商品があるか否かを判別する（ステップＳ５）。
【００３９】
該判別（ステップＳ５）により、購入希望条件にマッチした商品がある場合は（ステップＳ５／ＹＥＳ）、オンライン・ショッピング・サーバ２０は、購入希望条件にマッチした商品の一覧をユーザ端末１０に送信する（ステップＳ６）。購入希望者は、ユーザ端末１０が受信した商品の一覧に購入を希望する商品がある場合は（ステップＳ７／ＹＥＳ）、売買情報（購入商品コードや数量など）とユーザ情報（氏名や住所や電子メールアドレスなど）とをユーザ端末１０に入力し、オンライン・ショッピング・サーバ２０へ送信する（ステップＳ８）。オンライン・ショッピング・サーバ２０は、ユーザ端末１０から売買情報とユーザ情報とを受信することで商品の売買が成立する（ステップＳ９）。なお、オンライン・ショッピング・サーバ２０は、商品の売買が成立した際の情報を、ユーザ端末１０及び販売店端末３０に通知する。また、商品の一覧の中に購入を希望する商品がない場合は（ステップＳ７／ＮＯ）、商品の売買が不成立となり、処理が終了する（ステップＳ１０）。
【００４０】
次に、本発明の特徴となる購入希望条件にマッチした商品がない場合（ステップＳ５／ＮＯ）の処理動作について図３を参照しながら詳細に説明する。
【００４１】
購入希望商品の条件を受信したオンライン・ショッピング・サーバ２０が、商品データ・ベースを検索した結果、購入希望条件にマッチした商品がない場合は（図２の続き）、オンライン・ショッピング・サーバ２０は、購入希望条件をサーバ２０に保存するか否かの問い合わせをユーザ端末１０に送信する（ステップＳ１１）。購入希望者は、ユーザ端末１０が受信したオンライン・ショッピング・サーバ２０からの問い合わせに対して、購入希望条件の保存を希望しない場合は（ステップＳ１２／ＮＯ）、商品の売買が不成立となり、処理が終了する（ステップＳ２０）。また、購入希望者が購入希望条件の保存を希望する場合は（ステップＳ１２／ＹＥＳ）、売買情報とユーザ情報とをユーザ端末１０に入力し、オンライン・ショッピング・サーバ２０に送信する（ステップＳ１３）。オンライン・ショッピング・サーバ２０は、売買情報とユーザ情報とを購入希望条件と共に保存する（ステップＳ１４）。なお、購入希望条件をオンライン・ショッピング・サーバ２０に保存する際に入力する売買情報は仮の売買情報であり、販売店側と商品の売買を決定する際に、売買情報を変更することも可能である。
【００４２】
オンライン・ショッピング・サーバ２０は、ステップＳ１４で保存した購入希望条件を基に定期的に商品データ・ベースを検索し、購入希望条件にマッチする商品が商品データ・ベースに登録された場合（販売店が販売店端末３０からオンライン・ショッピング・サーバ２０にアクセスし、新たな商品情報を登録する（ステップＳ１５）。該登録した商品情報の中に購入希望条件にマッチする商品があるとオンライン・ショッピング・サーバ２０が判定した場合）に、ユーザ端末１０に電子メールを送信して（ステップＳ１４で保存したユーザ情報を利用）、購入希望条件の商品がオンライン・ショッピング・サーバ２０に出品されたことを購入希望者に通知する（ステップＳ１６）。
【００４３】
購入希望者は、ユーザ端末１０が受信した電子メールにより希望条件にマッチする商品を参照する。購入希望者は電子メールの中から希望条件にマッチする商品を購入しない場合は（ステップＳ１７／ＮＯ）、商品売買が不成立となる（ステップＳ２１）。また、購入希望者が電子メールの中から希望条件にマッチする商品を購入する場合は（ステップＳ１７／ＹＥＳ）、購入希望者は売買情報（購入商品コードや数量など）とユーザ情報（氏名や住所や電子メールアドレス、ＩＤなど）とをユーザ端末１０に入力し、オンライン・ショッピング・サーバ２０に送信する（ステップＳ１８）。オンライン・ショッピング・サーバ２０は、ユーザ端末１０から売買情報とユーザ情報とを受信することで商品の売買が成立する（ステップＳ１９）。
【００４４】
このように、購入希望者がユーザ端末１０からオンライン・ショッピング・サーバ２０にアクセスした時点ではサーバ２０に購入希望商品がなくとも、後日、購入希望商品がサーバ２０に登録された際に、希望商品が登録されたことをサーバ２０がユーザ端末１０に送信することで、購入希望者は希望商品を購入することができる。これにより、購入希望者が定期的にサーバ２０にアクセスし、希望商品を検索しなくてもよく、購入希望者にとっての利便性が向上する。また、購入希望者の利便性が向上することで、オンラインショッピングモールの利用者数の増加も見込める。
【００４５】
（第２の実施の形態）
次に、第２の実施の形態について説明する。
第２の実施の形態は、第１の実施の形態に、販売店端末（ｂ）５０と、オンライン・ショッピング・サーバ（ｂ）４０とを加え、オンライン・ショッピング・サーバ（ａ）２０に保存した購入希望条件を基に、サーバ（ａ）２０自身だけではなく、サーバ（ｂ）４０でも検索し、購入希望条件にあった商品を検索することである。以下、第２の実施の形態について図４から図６を参照して説明する。図４は、本実施の形態のシステム構成を示した図である。図５、図６は、本実施の形態の処理動作を示した図である。
【００４６】
本システムは、ユーザ端末１０と、販売店端末（ａ）３０と、販売店端末（ｂ）５０と、オンライン・ショッピング・サーバ（ａ）２０と、オンライン・ショッピング・サーバ（ｂ）４０と、これらのノードを相互に結ぶインターネット１００と、を有して構成される。
【００４７】
ユーザ端末１０は、以下の３つの処理動作を行う。
第１の処理として、オンライン・ショッピング・サーバ（ａ）２０がインターネット１００を介して提供するオンラインショッピングモールのホームページ（オンライン・ショッピング・サーバ２０）にアクセスし、オンライン・ショッピング・サーバ２０から送信される商品購入画面を表示する。
第２の処理として、商品購入画面に表示される購入希望商品の条件入力フォームに購入希望商品の条件を入力し、該入力した条件をオンライン・ショッピング・サーバ（ａ）２０に送信して、購入希望商品を検索する。
第３の処理として、電子メールを送受信する。
なお、ユーザ端末１０は、パーソナルコンピュータ等の情報処理装置であり、オンラインショッピングモール（仮想ショッピングモール）が運営しているオンライン・ショッピング・サーバ２０（ホームページ）で商品の購入を希望する購入希望者が使用する。
【００４８】
販売店端末（ａ）３０は、以下の２つの処理を行う。
第１の処理として、インターネット１００を介してオンライン・ショッピング・サーバ（ａ）２０にアクセスし、オンライン・ショッピング・サーバ（ａ）２０から送信される商品情報登録画面を表示する。
第２の処理として、商品情報登録画面に表示される商品情報登録フォームに商品情報の入力又は商品情報を含んだファイルの添付を行い、オンライン・ショッピング・サーバ（ａ）２０へ送信する。
なお、販売店端末（ａ）３０は、パーソナルコンピュータ、ワークステーション又はサーバで構成された情報処理装置であり、オンラインショッピングモール（オンライン・ショッピング・サーバ（ａ）２０）に商品を出品する販売店が利用する。
また、販売店端末（ｂ）５０も販売店端末（ａ）３０と同様の構成である。
【００４９】
オンライン・ショッピング・サーバ（ａ）２０は、以下の４つの処理を行う。
第１の処理として、複数の商品販売店（販売店端末（ａ）３０）の商品情報が登録されたコンピュータで、ユーザ端末１０から送信された購入希望条件（購入希望商品の条件）を基にオンライン・ショッピング・サーバ（ａ）２０が具備する商品データ・　ベースを検索するとともに、オンライン・ショッピング・サーバ（ｂ）４０にも同様な条件で、商品の検索依頼を送信する。
第２の処理として、オンライン・ショッピング・サーバ（ｂ）４０に依頼した検索結果を受け取り、サーバ（ａ）２０自身の商品データ・ベースの検索結果と共にユーザ端末１０に送信する。
第３の処理として、ユーザ端末１０から送信された購入希望条件をサーバ（ａ）自身のデータ・ベースに登録し、該登録された条件で定期的に商品データ・ベースを検索し、同時にオンライン・ショッピング・サーバ（ｂ）４０にも検索依頼を送信する。そして検索条件にマッチした商品がある場合は、電子メールで、商品が登録されたことをユーザ端末１０に通知する。
第４の処理として、ユーザ端末１０からの商品の購入希望の要求を受け付け、売買を成立させる。なお、オンライン・ショッピング・サーバ（ａ）２０は、インターネット上のサービスプロバイダが運営する仮想ショッピングモールの情報処理装置である。また、オンライン・ショッピング・サーバ（ｂ）４０もオンライン・ショッピング・サーバ（ａ）２０と同様の構成であり、オンライン・ショッピング・サーバ（ａ）２０から送信される検索依頼により、サーバ（ｂ）自身の商品データ・ベースを検索する。
【００５０】
次に、図５、図６を参照しながら本実施の形態の処理動作について説明する。
【００５１】
販売店は、販売店端末（ａ）３０からオンライン・ショッピング・サーバ（ａ）２０にアクセスし、オンラインショッピングモールのホームページ（オンライン・ショッピング・サーバ（ａ）２０）に出品する商品を登録する（ステップＳ３０）。登録の方法としては、オンライン・ショッピング・サーバ（ａ）２０が提供するインターフェースを利用したオンライン登録や指定フォーマットのファイル（販売店端末（ａ）３０側で作成）の受け渡しなどがある。
【００５２】
購入希望者はユーザ端末１０を使用し、オンラインショッピングモールのホームページ（オンライン・ショッピング・サーバ（ａ）２０）にアクセスする（ステップＳ３１）。オンライン・ショッピング・サーバ（ａ）２０はアクセス先のユーザ端末１０に購入希望商品の条件入力フォームを送信する（ステップＳ３２）。購入希望者は、ユーザ端末１０が受信した条件入力フォームに、購入希望商品の条件を入力し、オンライン・ショッピング・サーバ（ａ）２０に送信する（ステップＳ３３）。
【００５３】
オンライン・ショッピング・サーバ（ａ）２０は、ユーザ端末１０から受信した購入希望商品の条件を基にサーバ（ａ）２０自身の商品データ・ベースを検索すると同時に、オンライン・ショッピング・サーバ（ｂ）４０にサーバ（ａ）２０と同じ購入希望条件で商品の検索を実行させる検索依頼を送信する（ステップＳ３４）。オンライン・ショッピング・サーバ（ｂ）４０は依頼された購入希望条件でサーバ（ｂ）４０自身の商品データ・ベースを検索し、検索結果をオンライン・ショッピング・サーバ（ａ）２０に送信する（ステップＳ３６）。なお、オンライン・ショッピング・サーバ（ｂ）４０には、販売店端末（ａ）３０と同様な処理により、販売店端末（ｂ）５０から商品情報が登録される（ステップＳ３５）。
【００５４】
オンライン・ショッピング・サーバ（ａ）２０又はオンライン・ショッピング・サーバ（ｂ）４０において、購入希望条件にマッチした商品がある場合は（ステップＳ３７／ＹＥＳ）、購入希望条件にマッチした商品の一覧をオンライン・ショッピング・サーバ（ａ）２０がユーザ端末１０に送信する（ステップＳ３８）。購入希望者は、ユーザ端末１０が受信した商品の一覧の中に購入を希望する商品がある場合は（ステップＳ３９／ＹＥＳ）、ユーザ端末１０から売買情報（購入商品コードや数量など）とユーザ情報（氏名や住所や電子メールアドレスなど）とをオンライン・ショッピング・サーバ（ａ）２０へ送信する（ステップＳ４０）。オンライン・ショッピング・サーバ（ａ）２０は、売買情報とユーザ情報とをユーザ端末１０から受信することで商品の売買が成立する（ステップＳ４１）。また、購入を希望する商品がない場合は（ステップＳ３９／ＮＯ）、商品の売買が不成立となる（ステップＳ４２）。
【００５５】
なお、オンライン・ショッピング・サーバ（ｂ）４０において、購入希望条件にマッチする商品がある場合は、オンライン・ショッピング・サーバ（ａ）２０が、ユーザ端末１０から送信した売買情報とユーザ情報とを購入希望条件と共にオンライン・ショッピング・サーバ（ｂ）４０に送信することで、商品の売買が成立する。この時、サーバ（ｂ）４０に売買情報とユーザ情報とを送信する旨をユーザ端末１０に問い合わせたほうがより好ましい。これにより購入希望者は、送信先を確認することができる。
【００５６】
次に図６を参照しながら購入希望条件にマッチする商品がない場合（ステップＳ３７／ＮＯ）の処理動作について詳細に説明する。
【００５７】
オンライン・ショッピング・サーバ（ａ）２０とオンライン・ショッピング・サーバ（ｂ）４０とが、商品データ・ベースを検索した結果、購入希望条件にマッチする商品がない場合は（図５の続き）、ユーザ端末１０から検索された購入希望条件をオンライン・ショッピング・サーバ（ａ）２０に保存するか否かの確認をユーザ端末１０に送信する（ステップＳ４３）。購入希望者が購入希望条件の保存を希望しない場合は（ステップＳ４４／ＮＯ）、商品の売買が不成立となり、処理が終了する（ステップＳ５２）。また、購入希望者が購入希望条件の保存を希望する場合は（ステップＳ４４／ＹＥＳ）、ユーザ端末１０から売買情報とユーザ情報とをオンライン・ショッピング・サーバ２０に送信する（ステップＳ４５）。オンライン・ショッピング・サーバ２０は、ユーザ端末１０から受信した売買情報とユーザ情報とを購入希望条件と共に保存する（ステップＳ４６）。
【００５８】
オンライン・ショッピング・サーバ（ａ）２０は、ステップＳ４６で保存した購入希望条件を基に定期的に商品データ・ベースを検索する。更に、オンライン・ショッピング・サーバ（ａ）２０はオンライン・ショッピング・サーバ（ｂ）４０に、サーバ（ａ）２０と同じ購入希望条件で商品の検索を実行させる検索依頼を送信する（ステップＳ４８）。オンライン・ショッピング・サーバ（ｂ）４０は、依頼された購入希望条件を基に商品データ・ベースを検索し、検索結果をオンライン・ショッピング・サーバ（ａ）２０に送信する（ステップＳ５０）。なお、販売店端末（ｂ）５０は、販売店端末（ａ）３０と同様な処理でオンライン・ショッピング・サーバ（ｂ）４０にアクセスし、新たな商品情報を登録する（ステップＳ４９）。
【００５９】
オンライン・ショッピング・サーバ（ａ）２０は、オンライン・ショッピング・サーバ（ａ）２０自身の商品データ・ベースから購入希望条件に合う商品が検索された場合（ステップＳ４７）、又は、オンライン・ショッピング・サーバ（ｂ）４０から送信された検索結果（ステップＳ５０）に購入希望条件に合う商品が検索された場合に、購入希望条件に合う商品が検索されたことをユーザ端末１０に通知する（ステップＳ５１）。なお、ステップＳ４７〜ステップＳ５０の処理は時系列に関係なく処理が行われる。
【００６０】
購入希望者は、オンライン・ショッピング・サーバ（ａ）２０からの通知に対し、希望条件の商品を購入しない場合は（ステップＳ５２／ＮＯ）、商品の売買が不成立となる（ステップＳ５６）。また、購入希望者が、希望条件にマッチする商品を購入する場合は（ステップＳ５２／ＹＥＳ）、ユーザ端末１０から売買情報とユーザ情報とをオンライン・ショッピング・サーバ（ａ）２０に送信する（ステップＳ５３）。オンライン・ショッピング・サーバ（ａ）２０は、売買情報とユーザ情報とをユーザ端末１０から受信することで商品の売買が成立する（ステップＳ５４）。
【００６１】
なお、オンライン・ショッピング・サーバ（ｂ）４０から送信された検索結果により商品の売買が成立する場合は、オンライン・ショッピング・サーバ（ａ）２０は、ユーザ端末１０から受信した売買情報とユーザ情報とを購入希望条件と共にオンライン・ショッピング・サーバ（ｂ）４０に送信することで、商品の売買が成立する。この時、サーバ（ｂ）４０に売買情報とユーザ情報とを送信する旨をユーザ端末１０に問い合わせたほうがより好ましい。これにより購入希望者は、送信先を確認することができる。
【００６２】
このように、購入希望条件をオンライン・ショッピング・サーバ（ａ）２０だけではなく、他のオンライン・ショッピング・サーバ（ｂ）４０にも送信して、購入希望条件にマッチした商品の検索を行うことで、数多くの商品情報の中から購入希望条件の商品を検索することが可能となり、購入希望者は効率良く購入希望条件の商品情報を取得することができる。また、販売店側も同様に、数多くの購入希望条件により、商品の検索が行われるため、効率良く商品を購入希望者に提供することができる。
【００６３】
なお、上記第２の実施の形態において、購入希望条件をオンライン・ショッピング・サーバ（ａ）２０だけではなく、他のオンライン・ショッピング・サーバ（ｂ）４０にも保存する。オンライン・ショッピング・サーバ（ｂ）４０は、サーバ（ｂ）４０自身に保存した購入希望条件を基に定期的に商品データ・ベースを検索し、該検索した結果をユーザ端末１０に送信する。これにより、オンライン・ショッピング・サーバ（ｂ）４０は、オンライン・ショッピング・サーバ（ａ）２０を介さずに、検索結果をユーザ端末１０に送信することとなり、効率良く商品を購入希望者に提供することができる。以下、この処理動作の一例を詳細に説明する。
【００６４】
上記ステップＳ４３において、オンライン・ショッピング・サーバ（ａ）２０が購入希望商品の条件をサーバ（ａ）２０自身に保存するか否かの問い合わせをユーザ端末１０に送信すると共に、サーバ（ａ）２０に接続した他のオンライン・ショッピング・サーバにも保存するか否かを問い合わせる。購入希望者は、該問い合わせに対して購入希望条件を保存する場合は、売買情報と、ユーザ情報とをユーザ端末１０に入力し、サーバ（ａ）２０に接続した他のオンライン・ショッピング・サーバの中から購入希望条件を保存するオンライン・ショッピング・サーバ（ｂ）４０を指定して、オンライン・ショッピング・サーバ（ａ）２０に送信する。オンライン・ショッピング・サーバ（ａ）２０は、売買情報とユーザ情報とを購入希望条件とともに保存する。更に、オンライン・ショッピング・サーバ（ａ）２０は、ユーザ端末１０から指定されたオンライン・ショッピング・サーバ（ｂ）４０に対し、売買情報とユーザ情報と購入希望条件とを送信する。該指定されたオンライン・ショッピング・サーバ（ｂ）４０は、売買情報とユーザ情報と購入希望条件とをデータ・ベースに保存する。オンライン・ショッピング・サーバ（ａ）２０及びユーザ端末１０から指定されたオンライン・ショッピング・サーバ（ｂ）４０は各サーバの具備する商品データ・ベースの中に、購入希望条件にマッチする商品があるか否かを定期的に検索する。該検索により購入希望条件にマッチした商品が検索された場合は、ユーザ端末１０へ購入希望条件の商品が出品された旨を送信する。
【００６５】
このように、購入希望者がオンライン・ショッピング・サーバ（ａ）２０と接続している他のオンライン・ショッピング・サーバにも、購入希望条件を保存する。購入希望条件を保存したオンライン・ショッピング・サーバは、定期的に購入希望条件を基に検索する。これにより、購入希望者は数多くの商品情報の中から購入希望条件にマッチする商品を検索することが可能となり、購入希望者は効率良く購入希望条件の商品情報を取得することができる。また、販売店側も同様に、数多くの購入希望条件により、商品の検索が行われるため、効率良く商品を購入希望者に提供することができる。
【００６６】
また、各オンライン・ショッピング・サーバが、データ・ベースに保存した購入希望条件を基に商品データ・ベース内を定期的に検索する。オンライン・ショッピング・サーバは該検索により購入希望条件にあった商品をユーザ端末１０に通知する。これにより、サーバ（ａ）２０と接続しているオンライン・ショッピング・サーバが、サーバ（ａ）２０を介して希望条件に合った商品をユーザ端末１０に通知する必要がなくなる。よって、購入希望者は効率良く購入希望条件の商品情報を取得することができる。なお、購入希望者がユーザ端末１０から購入希望条件を保存するサーバを指定して、該指定したサーバに購入希望条件を保存する。これによりユーザ情報の漏洩を防止することができる。
【００６７】
（第３の実施の形態）
次に、第３の実施の形態について説明する。
第３の実施の形態は、第１の実施形態において、サーバ２０に保存された購入希望条件を販売店端末３０に送信し、該送信された購入希望条件を基に、販売店側がオンライン・ショッピング・サーバ２０に商品を登録することで、購入希望者が希望条件にあった商品を購入できることである。以下、図７を参照しながら本実施の形態について詳細に説明する。
【００６８】
本実施の形態のシステム構成は、第１の実施の形態と同様な構成であり、ユーザ端末１０と、販売店端末３０と、オンライン・ショッピング・サーバ２０と、これらのノードを相互に結ぶインターネット１００と、を有して構成される。
【００６９】
次に、上記構成からなる処理動作を詳細に説明する。
第３の実施の形態における処理動作は、オンライン・ショッピング・サーバ２０に購入希望条件を保存するまでの処理は、第１の実施の形態と同様な処理を施す（図２のステップＳ１〜ステップＳ１０、図７のステップＳ６０〜ステップＳ６３）。以下、本実施の形態の特徴となる処理動作を詳細に説明する。
【００７０】
オンライン・ショッピング・サーバ２０は、ステップＳ６３で保存した購入希望条件を販売店端末３０へ送信する（ステップＳ６４）。販売店端末３０は、オンライン・ショッピング・サーバ２０から受信した購入希望条件をデータ・ベースに登録し、購入希望条件に合った商品を入荷したり、新しい商品を品揃える際の参考にしたりする（ステップＳ６５）。
【００７１】
オンライン・ショッピング・サーバ２０は、サーバ２０自身に保存した購入希望条件を基に定期的に商品データ・ベースを検索し、購入希望条件にマッチする商品が商品データ・ベースに登録されていた場合は（販売店が販売店端末３０からオンライン・ショッピング・サーバ２０にアクセスし、新たな商品情報を登録する（ステップＳ６６）。該登録された商品情報の中に購入希望条件にマッチする商品があるとオンライン・ショッピング・サーバ２０が判定した場合）、オンライン・ショッピング・サーバ２０はユーザ端末１０に電子メールを送信して（ステップＳ６３で保存されたユーザ情報を利用）、購入希望条件の商品がオンライン・ショッピング・サーバ２０に出品されたことを購入希望者に通知する（ステップＳ６７）。
【００７２】
購入希望者は、電子メールを受信したユーザ端末１０において、希望条件にマッチする商品を購入しない場合は（ステップＳ６８／ＮＯ）、商品の売買が不成立となる（ステップＳ７２）。購入希望者は希望条件にマッチする商品を購入する場合は（ステップＳ６８／ＹＥＳ）、ユーザ端末１０から売買情報（購入商品コードや数量など）とユーザ情報（氏名や住所や電子メールアドレスなど）とをオンライン・ショッピング・サーバ２０に送信する（ステップＳ６９）。オンライン・ショッピング・サーバ２０は、ユーザ端末１０から売買情報とユーザ情報とを受信することで商品の売買が成立する（ステップＳ７０）。
【００７３】
このように、オンライン・ショッピング・サーバ２０に保存した購入希望条件を販売店端末３０へ送信し、販売端末３０は受信した購入希望条件をデータ・ベースに登録する。これにより、販売店側は現時点での購入希望条件に合った商品を把握することができ、購入希望商品を入荷したり、新しい商品を品揃える際の参考にしたりすることができる。また、販売店側が、受信した購入希望条件を基に、オンライン・ショッピング・サーバ２０に商品を登録することで、購入希望者は、購入希望条件にあった商品の情報を効率良く得ることが可能となる。
【００７４】
また、第１から第３の実施の形態において、以下の処理を行うことも可能である。
購入希望条件にマッチした商品がある場合にも、購入希望条件をオンライン・ショッピング・サーバ２０に保存する。これにより、購入希望者は、購入希望条件にマッチした商品の一覧の中に希望する商品がない場合にも、再度、購入希望条件にあった商品の一覧が送られて来るため、購入希望者の満足のいく商品を購入することが可能となる。以下、この処理動作を第１の実施の形態を例にとり説明する。
【００７５】
まず、図８を参照しながら、ステップＳ５（図２参照）において購入希望条件にマッチした商品がある場合の処理動作について説明する。
オンライン・ショッピング・サーバ２０が購入希望条件を基に、商品データ・ベースを検索し、購入希望条件にマッチする商品があるか否かを判別する（ステップＳ８１）。該判別により購入希望条件にマッチする商品が検索された場合は（ステップＳ８１／ＹＥＳ）、購入希望条件にマッチした商品の一覧をユーザ端末１０に送信する（ステップＳ８２）。購入希望者は、購入希望条件にマッチした商品の一覧の中に購入する商品がない場合は（ステップＳ８３／ＮＯ）、購入しない旨をオンライン・ショッピング・サーバ２０に送信する（ステップＳ８４）。該旨を受信したオンライン・ショッピング・サーバ２０は、検索した購入希望条件をオンライン・ショッピング・サーバ２０に保存するか否かの確認をユーザ端末１０に送信する（ステップＳ８５）。購入希望者は、購入希望条件の保存を希望する場合は（ステップＳ８６／ＹＥＳ）、売買情報とユーザ情報とをユーザ端末１０に入力し、オンライン・ショッピング・サーバ２０に送信する（ステップＳ８７）。オンライン・ショッピング・サーバ２０は、ユーザ端末１０から受信した売買情報とユーザ情報とを購入希望条件と共に保存する（ステップＳ８８）。
【００７６】
また、購入希望者が購入希望条件の保存を希望しない場合は（ステップＳ８６／ＮＯ）、ユーザ端末１０から保存しない旨をオンライン・ショッピング・サーバ２０に送信する（ステップＳ８９）。オンライン・ショッピング・サーバ２０は、保存しない旨をユーザ端末１０から受信することで、売買が不成立となり、処理が終了する（ステップＳ９０）。
【００７７】
また、購入希望者は、購入希望条件にマッチした商品の一覧の中に購入を希望する商品がある場合は（ステップＳ８３／ＹＥＳ）、購入希望商品を選択し、売買情報とユーザ情報とをユーザ端末１０に入力し、オンライン・ショッピング・サーバ２０に送信する（ステップＳ９１）。オンライン・ショッピング・サーバ２０は、ユーザ端末１０が送信した売買情報とユーザ情報とを受信することで商品の売買が成立する（ステップＳ９２）。オンライン・ショッピング・サーバ２０は、商品の売買が成立した旨及び購入希望条件をオンライン・ショッピング・サーバ２０に保存するか否かの確認を、ユーザ端末１０に送信する（ステップＳ９３）。購入希望者は、ユーザ端末１０が受信したオンライン・ショッピング・サーバ２０からの確認に対して、購入希望条件の保存を希望しない場合は（ステップＳ８６／ＮＯ）、保存しない旨を通知することで（ステップＳ８９）、処理が終了する（ステップＳ９０）。また、購入希望者が購入希望条件の保存を希望する場合は（ステップＳ８６／ＹＥＳ）、売買情報とユーザ情報とをユーザ端末１０に入力して、オンライン・ショッピング・サーバ２０に送信する（ステップＳ８７）。オンライン・ショッピング・サーバ２０は、ユーザ端末１０から受信した売買情報とユーザ情報とを購入希望条件と共に保存する（ステップＳ８８）。
【００７８】
次に、図９を参照しながら、第１の実施の形態においてオンライン・ショッピング・サーバ２０に購入希望条件を保存した（ステップＳ１４）後の検索処理について説明する。
オンライン・ショッピング・サーバ２０は定期的に商品データ・ベースを検索し（ステップＳ９１）、購入希望条件にマッチする商品が検索された場合は（ステップＳ９２／ＹＥＳ）、ユーザ端末１０に通知する（ステップＳ９３）。購入希望者は、購入希望条件にマッチした商品の中に、購入する商品がない場合は（ステップＳ９４／ＮＯ）、購入しない旨をユーザ端末１０からオンライン・ショッピング・サーバ２０に送信する（ステップＳ９５）。該旨を受信したオンライン・ショッピング・サーバ２０は、定期的に購入希望条件を基に商品データ・ベースを検索するか否かの確認をユーザ端末１０に送信する。購入希望者は、商品データ・ベースの検索を希望する場合は（ステップＳ９６／ＹＥＳ）、希望する旨をユーザ端末１０からオンライン・ショッピング・サーバ２０に送信する。該旨を受信したオンライン・ショッピング・サーバ２０は、定期的に購入希望条件を基に商品データ・ベースを検索する（ステップＳ９１）。また、購入希望者が、商品データ・ベースの検索を希望しない場合は（ステップＳ９６／ＮＯ）、希望しない旨をユーザ端末１０からオンライン・ショッピング・サーバ２０に送信する。該旨を受信したオンライン・ショッピング・サーバ２０は、商品データ・ベースに保存した購入希望条件の削除を実行する（ステップＳ９７）。
【００７９】
また、購入希望者が、購入希望条件にマッチした商品の中に、購入する商品がある場合は（ステップＳ９４／ＹＥＳ）、売買情報とユーザ情報とをユーザ端末１０に入力し、オンライン・ショッピング・サーバ２０に送信する（ステップＳ９８）。オンライン・ショッピング・サーバ２０は、売買情報とユーザ情報とを受信することで売買が成立する（ステップＳ９９）。オンライン・ショッピング・サーバ２０は、売買が成立した旨及び定期的に購入希望条件を基に商品データ・ベースを検索するか否かの確認をユーザ端末１０に送信する。購入希望者は、商品データ・ベースの検索を希望する場合は（ステップＳ１００／ＹＥＳ）、希望する旨をユーザ端末１０からオンライン・ショッピング・サーバ２０に送信する。該旨を受信したオンライン・ショッピング・サーバ２０は、定期的に購入希望条件を基に商品データ・ベースを検索する（ステップＳ９１）。
【００８０】
また、購入希望者が、商品データ・ベースの検索を希望しない場合は（ステップＳ１００／ＮＯ）、希望しない旨をユーザ端末１０からオンライン・ショッピング・サーバ２０に送信する。該旨を受信したオンライン・ショッピング・サーバ２０は、商品データ・ベースに保存した購入希望条件の削除を実行する（ステップＳ１０１）。なお購入希望条件の削除は、商品の売買が成立した際に削除することも可能である（第１の実施の形態、ステップＳ９、ステップＳ１９）。
【００８１】
なお、上記処理において、購入希望者がユーザ端末１０から送信した購入を希望しない旨をオンライン・ショッピング・サーバ２０が受信した際に、オンライン・ショッピング・サーバ２０が商品データ・ベースを検索するか否かの確認をユーザ端末１０に送信せず、定期的に購入希望条件を基に商品データ・ベースを検索することも可能である。
【００８２】
また、第１から第３の実施の形態において、購入希望者が入力した購入希望条件の検索履歴をオンライン・ショッピング・サーバ２０に保存し、購入希望者がユーザ端末１０から購入希望商品の検索を行う際に、検索履歴を参照することで次回の検索時に、過去の履歴を参照しながら検索することが可能となる。以下、この処理動作を説明する。
【００８３】
この処理動作を行うには、購入希望者は、オンライン・ショッピング・サーバ２０に購入希望条件を保存することが条件となる（購入希望条件が保存される際には、売買情報とユーザ情報とが一緒に保存される）。
購入希望者は、ユーザ端末１０にユーザ情報を入力し、オンライン・ショッピング・サーバ２０に送信する。オンライン・ショッピング・サーバ２０は、受信したユーザ情報を基に、過去に検索した購入希望条件を閲覧できる。なお、ユーザ情報には、ユーザＩＤを用いることにより、より簡単に閲覧することができる。
【００８４】
また、購入希望条件をオンライン・ショッピング・サーバ２０に保存する際には、検索条件を厳しくしたり緩めたりすることができることが可能となる。例えば、購入希望条件の設定として、商品のカテゴリーの設定、購入金額の設定等が挙げられる。
商品のカテゴリーの設定としては、例えば、「本」、「語学書」、「英語」、「タイトル名」等にカテゴリーを設定し検索する。これにより検索条件を厳しくしたり、緩めたりすることができる。
購入金額の設定としては、購入希望者の希望最高金額と希望最低金額を設定し、該設定範囲内で検索する。これにより検索条件を厳しくしたり、緩めたりすることができる。
【００８５】
また、第１から第３の実施の形態において、購入希望者が設定した購入希望条件に合う商品がない場合は、サーバ２０が自動的に条件を緩くした検索結果を行い、代替商品の提案を行うことも可能である。以下、この処理動作を説明する。
【００８６】
オンライン・ショッピング・サーバ２０は、ユーザ端末１０から送信された購入希望条件を基に、商品データ・ベースの検索を行う。該検索により購入希望条件に合う商品が検索されない場合には、オンライン・ショッピング・サーバは、ある程度幅を持たせた購入希望条件を設定する。オンライン・ショッピング・サーバ２０は、該設定した条件を基に商品データ・ベースを検索して、検索にヒットした商品をユーザ端末１０に送信する。これにより、オンライン・ショッピング・サーバ２０は、購入希望条件の商品の代替商品を購入希望者に提供することができる。
【００８７】
また、購入希望者がユーザ端末１０から再度、オンライン・ショッピング・サーバ２０にユーザ情報（ユーザＩＤ等）を入力し、サーバ２０に保存した購入希望条件の変更又は削除をすることも可能である。これにより、購入希望条件を満たす商品が検出されない場合に、購入希望者は自由に購入希望条件を変更し、効率良く商品情報を取得することができる。なお、購入希望条件の変更又は削除を行う際には、購入希望条件の検索履歴を参照することも可能である。
【００８８】
また、オンライン・ショッピング・サーバ２０は、購入希望条件の保存時間が経過するとともに（定期的に行う検索の際に、購入希望条件に合う商品が検索されない場合）、ある程度幅を持たせた購入希望条件を設定し、該設定した購入希望条件をもとに検索をすることも可能である。
【００８９】
なお、本実施の形態において、オンライン・ショッピング・サーバ２０は購入希望条件を基に商品データ・ベースを検索するが、この購入希望条件に売買情報を含めて検索することも可能である。これにより、購入希望者は、より詳細な条件の商品情報を得ることが可能となる。
【００９０】
なお、上述する実施の形態は本発明の好適な実施の形態であり、本発明の主旨を逸脱しない範囲内において種々変形実施が可能となる。例えば、本実施の形態では、商品を購入する際の購入希望条件を入力して検索したが、購入希望条件に限定せず、オンラインで検索したい情報であれば適用可能である。例えば、検索したい情報（検索希望情報）をユーザ端末からサーバに保存し、後日、サーバに検索希望情報にマッチした情報が登録された際に、ユーザ端末に送信することで、ユーザは希望の検索情報を取得することができる。このように、ユーザが取得したい情報をサーバに保存しておくことで、ユーザが希望する情報を定期的に取得することができる。
【００９１】
【発明の効果】
以上の処理により、本発明は以下のような効果を成し得る。
第１の効果としては、購入希望者が希望する商品の条件（購入希望条件）をユーザ端末からサーバに保存する。サーバは、購入希望条件を満たす商品があるか否かを定期的に検索し、購入希望条件を満たす商品をユーザ端末に通知することで、購入希望者は効率良く商品を取得することができる。
【００９２】
第２の効果としては、サーバに保存した購入希望条件を、前記サーバを介して他のサーバでも検索することで、多くの商品の中から購入希望条件を満たす商品を検索することができ、購入希望者は効率良く、且つ、満足のいく商品を取得することができる。
【００９３】
第３の効果としては、サーバに保存した購入希望条件を、前記サーバを介して、販売店端末にも保存させることで、販売店側は、購入希望者の希望する商品を把握することが可能となる。
【００９４】
第４の効果としては、購入希望者がユーザ端末から入力した購入希望条件の検索履歴をサーバに保存し、購入希望者が検索履歴を参照しながら希望する商品を検索することで効率良く、商品を取得するこができる。
【００９５】
第５の効果としては、ユーザが取得したい情報（取得希望情報）とユーザの個人情報とをサーバに保存する。サーバは、取得希望情報にマッチする情報を定期的に検索する。該検索により取得希望情報にマッチする情報を得た場合には、取得希望条件にマッチする情報を得た旨を、個人情報を利用してユーザに通知する。これにより、ユーザは取得希望情報を効率良く取得することが出来る。
【００９６】
第６の効果としては、ユーザが取得したい情報（取得希望情報）を、複数のサーバを介して検索することで、多くの情報の中から検索することが可能となる。これにより、ユーザがより満足のいく取得希望情報を取得することができる。
【図面の簡単な説明】
【図１】本発明にかかるオンラインショッピングの第１のシステム構成を示す図である。
【図２】第１の実施の形態におけるオンラインショッピングの処理動作（前半）を示す図である。
【図３】第１の実施の形態におけるオンラインショッピングの処理動作（後半）を示す図である。
【図４】本発明にかかるオンラインショッピングの第２のシステム構成を示す図である。
【図５】第２の実施の形態におけるオンラインショッピングの処理動作（前半）を示す図である。
【図６】第２の実施の形態におけるオンラインショッピングの処理動作（後半）を示す図である。
【図７】第３の実施の形態におけるオンラインショッピングの処理動作を示す図である。
【図８】第１の実施の形態において、購入希望条件にマッチした商品がある場合の処理動作を示す図である。
【図９】第１の実施の形態において、サーバ２０に購入希望条件を保存した後の検索処理の動作を示す図である。
【図１０】従来のオンラインショッピングのシステム構成を示す図である。
【図１１】従来のオンラインショッピングの処理動作を示す図である。
【符号の説明】
１０　ユーザ端末
２０、４０　オンライン・ショッピング・サーバ
３０、５０　販売店端末
１００　インターネット
【図１】
2004070438.tif 000003
【図２】
2004070438.tif 000004
【図３】
2004070438.tif 000005
【図４】
2004070438.tif 000006
【図５】
2004070438.tif 000007
【図６】
2004070438.tif 000008
【図７】
2004070438.tif 000009
【図８】
2004070438.tif 000010
【図９】
2004070438.tif 000011
【図１０】
2004070438.tif 000012
【図１１】
2004070438.tif 000013